(57)【要約】      （修正有）【課題】筆毛のブラシ面に立体模様を形成して意匠効果を高めた化粧用ブラシを提供する。【解決手段】台座６と、該台座６に着脱可能に嵌着される円筒形の筒体７よりなり、台座６は筒体７内に嵌挿される砲弾状のコア６２を有し、コア先端は平坦面をなして、該平坦面上に一定高さの文字「Ｃ」が刻印して突出形成される治具５を用い、一定長さの筆毛８を束ねて台座６のコア６２に当たるまで挿入し、筆毛先端のブラシ面に砲弾状の湾曲面と、その先端に文字「Ｃ」に相当する一定高さの立体模様９を浮上がらせて形成する。【選択図】図５
0003131403.tif 000002
【実用新案登録請求の範囲】
【請求項１】
筒状をなす筒軸と、該筒軸に差込んで取付けられる筆毛よりなる化粧用ブラシにおいて、筒軸より突出する筆毛毛先のブラシ面に一部の毛の突出又は凹みによって文字や模様等よりなる立体模様を形成したことを特徴とする化粧用ブラシ。
【請求項２】
筒体と、該筒体の全長のうちの一部に嵌着されて筒体を有底状とし、底部を構成する先端面に凸部及び若しくは凹部により文字や模様等よりなる立体模様を形成したコアとよりなることを特徴とする請求項１記載の化粧用ブラシ製造用の治具。
【請求項３】
円、楕円、矩形、その他任意の断面形状をなす凹部を有し、凹部底面には凸部若しくは凹部により文字や模様等よりなる立体模様を形成したことを特徴とする請求項１記載の化粧用ブラシ製造用の治具。
【考案の詳細な説明】
【技術分野】
【０００１】
本考案は、化粧用ブラシと、該ブラシを製造するのに用いる治具に関する。
【背景技術】
【０００２】
図１は、化粧用ブラシとして用いられるフェイスブラシについて示すもので、山羊、馬、豚等の獣毛或いはナイロン、ポリプロピレン、ポリエチレンテレフタレート等の樹脂製の毛よりなる筆毛１を環状の口金２により束ねて樹脂製、木製或いは金属製の筒状の筆軸３に差込んで取付けてなるものである。
【考案の開示】
【考案が解決しようとする課題】
【０００３】
本考案は、筆毛のブラシ面に立体模様を形成して意匠効果を高めた化粧用ブラシと、該ブラシ製造用の治具を提供することを目的とする。
【課題を解決するための手段】
【０００４】
請求項１に係る考案は、化粧用ブラシに関するもので、筒状をなす筒軸と、該筒軸に差込んで取付けられる筆毛よりなる化粧用ブラシにおいて、筒軸より突出する筆毛毛先のブラシ面に一部の毛の突出又は凹みによって文字や模様等よりなる立体模様を形成したことを特徴とする。
【０００５】
請求項２に係る考案は、請求項１に係る考案の化粧用ブラシを製造するための治具に関するもので、筒軸と直交する内部断面形状が円、楕円、矩形、その他任意の形状をなす筒体と、該筒体に嵌着、好ましくは取外し可能に嵌着されて筒体を有底状とし、底部を構成する先端面に凸部及び若しくは凹部により形成される文字や模様等よりなる立体模様を形成したコアとよりなることを特徴とする。
【０００６】
請求項３に係る考案は、請求項１に係る考案の化粧用ブラシを製造するための別の治具に関するもので、円、楕円、矩形、その他任意の断面形状をなす凹部を有し、凹部底面には凸部若しくは凹部により文字や模様等よりなる立体模様を形成したことを特徴とする。
【考案の効果】
【０００７】
請求項１に係る考案によると、筆毛毛先のブラシ面に毛の突出又は凹みによって凹凸の立体模様が形成されることにより化粧用ブラシの意匠効果を高めることができる。
【０００８】
請求項２に係る考案の治具によると、一定長さの筆毛の束を筒体に毛の根元がコア先端面に当たるまで挿入することにより、筆毛毛先のブラシ面にはコア先端面の立体模様と同じ立体模様が形成されるようになる。
【０００９】
請求項３に係る考案の治具によると、筆毛の束を毛先が治具の凹部底面に当たるまで挿入することにより筆毛毛先のブラシ面に治具の凹部底面の立体模様と同じ立体模様が形成されるようになる。
【考案を実施するための最良の形態】
【００１０】
以下、本考案の実施形態について図面により説明する。
図２は、本考案に係る治具１の分解斜視図、図３は同治具１の縦断面図、図４は図３のＡ−Ａ線断面図で、治具５は、硬質樹脂、例えばポリエチレンＰＥ、ポリブチレンテレフタレートＰＢＴ、ポリプロピレンＰＰ、塩化ビニル、メラニン樹脂、フェノール樹脂あるいはポリアミド等で形成される台座６と、該台座６に嵌着される円筒形の硬質樹脂、好ましくはアクリル樹脂、ポリカーボネイト等の透明な硬質樹脂製の筒体７よりなり、台座６は、台６１と、該台６１より段をなして突出する砲弾状のコア６２とで構成され、全体がコルク栓状をなして筒体７に嵌着したとき、該筒体７の端部を塞ぎ、有底状に封止するようになっている。コア６２の上端面は平坦で、一定高さの立体模様６３、例えば文字「Ｃ」が刻印により突出形成されている。図３は、台座６に筒体７を嵌着して組立てた治具５を示している。
【００１１】
図５は、図３に示す治具５の筒体７に一定長さの筆毛８を束ねて毛の根元が台座６のコア６２に当たるまで挿入した状態を示すもので、この状態で筆毛毛先のブラシ面には砲弾状の湾曲面と、その先端に文字「Ｃ」に相当する一定長さの立体模様９が浮上がって形成される。
【００１２】
治具５の筒体７に一端部を挿入した筆毛８は筒体７からの突出部分を掴んで把持し、細い糸や針金等で中間部を縛り付け、口金１１を回して締着する。そして樹脂製、木製或いは金属製の筆軸１２に差込んで取付ける。以上のようにして図６に示すような筆毛毛先のブラシ面に文字「Ｃ」の模様を浮き出させた化粧用ブラシが構成される。
【００１３】
本実施形態の上述する治具５は、台座６が筒体７に固定され、或いは一体に形成されていてもよいが、好ましくは取外し可能に嵌着される。取外しできるようにすることによって立体模様６３の異なる台座６を複数用意し、その中の一つを選択して筒体７に差込むことにより筒体７を共通使用し、台座ごとに筒体７を個別に設けるよりも全体の構成が簡単となり、治具５の保管スペースを少なくすることができる。
【００１４】
上記実施形態では、台座６のコア６２の上端面に立体模様６３が突出形成されているが、立体模様６３は凹状に刻印することにより形成されていてもよい。
また台座６と筒体７は一体で、一体ものを掘り込んでコア６２や立体模様６３を形成するようにしてもよい。
【００１５】
図７は、別の実施形態の治具１５を示すもので、一定長さの円柱体１６に一方の端面（図においては上端面）から掘り込んで円形断面の凹部１７を形成すると共に、凹状に湾曲する凹部底面に一定深さの凹状の立体模様１８、例えば上述するような文字「Ｃ」を刻印により形成したものである。
【００１６】
本実施形態においては、筆毛の束１９（筆毛は一定長さを有していなくてもよいが、毛先を揃え易く、また根元に形成される立体模様の確認が容易にできるようにするため一定長さを有していることが望ましい）を毛先が凹部底面及び立体模様１８に当たるまで挿入する（毛先が一定長さを有していれば、治具１５より突出する筆毛の根元には図７の点線で示すように、立体模様１８と同じ凹状の立体模様が形成されるようになる）。その後、治具１５より突出する筆毛の束１９を掴んで治具１５より引き出す。すると毛先のブラシ面には上記実施形態と同様、文字「Ｃ」の模様が浮き出るようになる。
【００１７】
図７に示す実施形態では、治具１５は一体ものとなっているが、図２〜図４に示す実施系体の治具５と同様、筒体と、凹状に湾曲する湾曲面を備え、筒体に取外し可能に嵌着される台座とで構成してもよい。
【図面の簡単な説明】
【００１８】
【図１】従来のフェイスブラシの正面図。
【図２】本考案に係る治具の分解斜視図。
【図３】同治具の縦断面図。
【図４】図３のＡ−Ａ線断面図。
【図５】本考案に係る治具に筆毛を入れた状態を示す正面図。
【図６】本考案に係るフェイスブラシの正面図。
【図７】別の実施例の治具の縦断面図。
【符号の説明】
【００１９】
１、８・・筆毛
２、１１・・口金
３、１２・・筆軸
５・・治具
６・・台座
７・・筒体
９、１８、６３・・立体模様
１６・・円柱
１７・・凹部
１９・・筆毛の束
６１・・台
６２・・コア
【図１】
0003131403.tif 000003
【図２】
0003131403.tif 000004
【図３】
0003131403.tif 000005
【図４】
0003131403.tif 000006
【図５】
0003131403.tif 000007
【図６】
0003131403.tif 000008
【図７】
0003131403.tif 000009